(57)【要約】【課題】  コストアップや大型化を招来することなく、紙葉類とディスク体のように異なる種類の細断対象物を分けて細断及び収納することのできるシュレッダー装置を提供する。【解決手段】  紙葉類投入部２ａに投入された紙葉類は、細断部３の第１、第２カッター２６，２７の左側方から該カッター２６，２７の噛合部位（細断位置）に案内され、該カッター２６，２７に細断された後、その細断屑は右側に位置する屑箱４ａに排出される。一方、ディスク体投入部２ｂに投入されたディスク体は、第１、第２カッター２６，２７の右側方から前記噛合部位に案内され、該カッター２６，２７に細断された後、その細断屑は左側に位置する屑箱４ｂに排出される。【選択図】      図１
2006116507.tif 000002
【特許請求の範囲】
【請求項１】
互いに噛合して回転する長尺のカッター刃の間に細断対象物を噛み込んで細断を行うシュレッダー装置において、
異なる種類の第１、第２細断対象物が投入される、個別に設けられた第１投入部及び第２投入部と、
第１、第２投入部から選択的に投入される第１、第２細断対象物をそれぞれ細断する、少なくとも一部のカッター刃を共通にしたカッター部と、
第１細断対象物の細断と第２細断対象物の細断とで前記共通のカッター刃を逆方向に回転させる細断制御部と、
前記カッター部の排出側に個別に設けられ、第１、第２細断対象物の細断屑を個別に収容する第１、第２収容部と
を備えたことを特徴とするシュレッダー装置。
【請求項２】
前記カッター刃の回転動作の開始及び停止を指示するための操作部を備え、前記細断制御部は、前記操作部による指示内容にしたがって、前記カッター刃の回転動作を制御することを特徴とする請求項１に記載のシュレッダー装置。
【請求項３】
前記第１、第２投入部への各細断対象物の投入を検知する投入センサを備え、前記細断制御部は、前記投入センサの検知結果に応じて前記カッター刃の回転方向を決定することを特徴とする請求項１に記載のシュレッダー装置。
【請求項４】
前記カッター刃の回転動作の開始及び停止を指示するための第１の操作部と、前記投入センサによる検知動作のオンオフを切換える第２の操作部とを備え、前記細断制御部は、前記第２の操作部により前記投入センサによる検知動作がオフされた場合に、前記第１の操作部が操作されると、前記細断制御部は、前記操作部による指示内容にしたがって、前記カッター刃の回転動作を制御することを特徴とする請求項３に記載のシュレッダー装置。
【請求項５】
前記カッター部は、上下方向に配置された第１カッター刃と第２カッター刃とを備えてなり、前記両カッター刃の噛合部の左右一方側に第１投入部が、他方側に第２投入部が配置され、第１投入部の下部に第２収納部が、第２投入部の下部に第１収納部が配置されていることを特徴とする請求項１ないし４のいずれかに記載のシュレッダー装置。
【請求項６】
前記カッター部は、第２カッター刃を挟んで水平方向の一方側に第１カッター刃が、他方側に第３カッター刃がそれぞれ配置されてなり、
前記第１、第２カッター刃の噛合部の上方に第１投入部が、前記第２、第３カッター刃の噛合部の上方に第２投入部が配置され、
前記第１、第２カッター刃の噛合部の下方に第２収容部が、第２、第３カッター刃の噛合部の下方に第１収容部が配置されていることを特徴とする請求項１ないし４のいずれかに記載のシュレッダー装置。
【請求項７】
前記共通のカッター刃の回転動作に連動することにより、前記投入部に投入された細断対象物を前記カッター刃の噛合部までガイドするガイド位置と、前記ガイドを解除する退避位置との間で移動可能なガイド部材を投入部ごとに有し、前記ガイド部材は、当該ガイド部材に対応する投入部に投入されるべき細断対象物と異なる細断対象物の細断時には前記退避位置に退避することにより、その細断対象物の細断屑が当該ガイド部材に対応する投入部に向かって逆向きに案内されるのを防止し、且つ該細断屑を収容すべき収容部に案内する機能を有し、当該ガイド部材に対応する投入部に投入されるべき細断対象物の細断時には前記ガイド位置に位置し、投入された細断対象物を前記カッター刃の噛合部までガイドする機能を有することを特徴とする請求項１ないし６のいずれかに記載のシュレッダー装置。
【請求項８】
前記共通のカッター刃の回転動作に連動することにより、投入された細断対象物と異なる種類の細断対象物の細断屑を収容する収容部を閉塞し、且つ投入された細断対象物の細断屑を収容する収容部に向けて細断屑の移動を案内するように傾斜姿勢となる混入防止板が備えられていることを特徴とする請求項１ないし７のいずれかに記載のシュレッダー装置。
【請求項９】
前記細断対象物は、紙葉類及びディスク体であり、前記紙葉類が投入されるべき投入部は、波型形状のスリットを有しており、且つ前記スリットが延びる方向と直交する方向において、前記スリットを構成する一方の縁部における突出部と他方の縁部における突出部との間隔が、ディスク体の厚みより小さく設定されていることを特徴とする請求項１ないし８のいずれかに記載のシュレッダー装置。
【発明の詳細な説明】
【技術分野】
【０００１】
本発明は、紙等のシート体及びディスク体を細断可能にするシュレッダー装置の技術分野に属する。
【背景技術】
【０００２】
従来、下記特許文献１に示す紙等の紙葉類を細断するシュレッダー装置の他に、ＣＤ（Compact Disc）や光ディスク等のディスク体を細断するシュレッダー装置が市販されている。ディスク体を細断するシュレッダー装置は、細断対象物を投入するための上部投入口と、互いに噛合する一対のカッター刃の回転動作により投入された細断対象物を挟み込んで細断するカッター装置と、該カッター刃の下方に配置され、細断後の細断屑を収納する屑箱とを有して構成されている。
【特許文献１】特開２００２−１８３０２号公報
【発明の開示】
【発明が解決しようとする課題】
【０００３】
近年、ディスク体の利用量の増大に伴い、紙葉類とディスク体との双方を細断できるシュレッダー装置の要請があるものの、１台のシュレッダー装置に、紙葉類の細断部と、ディスク体の細断部とを個別に設けると、細断対象物の種類に応じて１組のカッター刃が必要となる。これは、シュレッダー装置のコストアップや大型化を招来することとなる。
【０００４】
本発明は、このような事情に鑑みてなされたものであり、コストアップや大型化を招来することなく、紙葉類とディスク体のように異なる種類の細断対象物を分けて細断及び収納することのできるシュレッダー装置を提供することを目的とする。
【課題を解決するための手段】
【０００５】
請求項１に記載の発明は、互いに噛合して回転する長尺のカッター刃の間に細断対象物を噛み込んで細断を行うシュレッダー装置において、異なる種類の第１、第２細断対象物が投入される、個別に設けられた第１投入部及び第２投入部と、第１、第２投入部から選択的に投入される第１、第２細断対象物をそれぞれ細断する、少なくとも一部のカッター刃を共通にしたカッター部と、第１細断対象物の細断と第２細断対象物の細断とで前記共通のカッター刃を逆方向に回転させる細断制御部と、前記カッター部の排出側に個別に設けられ、第１、第２細断対象物の細断屑を個別に収容する第１、第２収容部とを備えたことを特徴とするシュレッダー装置である。
【０００６】
請求項２に記載の発明は、請求項１に記載のシュレッダー装置において、前記カッター刃の回転動作の開始及び停止を指示するための操作部を備え、前記細断制御部は、前記操作部による指示内容にしたがって、前記カッター刃の回転動作を制御することを特徴とするものである。
【０００７】
請求項３に記載の発明は、請求項１に記載のシュレッダー装置において、前記第１、第２投入部への各細断対象物の投入を検知する投入センサを備え、前記細断制御部は、前記投入センサの検知結果に応じて前記カッター刃の回転方向を決定することを特徴とするものである。
【０００８】
請求項４に記載の発明は、請求項３に記載のシュレッダー装置において、前記カッター刃の回転動作の開始及び停止を指示するための第１の操作部と、前記投入センサによる検知動作のオンオフを切換える第２の操作部とを備え、前記細断制御部は、前記第２の操作部により前記投入センサによる検知動作がオフされた場合に、前記第１の操作部が操作されると、前記細断制御部は、前記操作部による指示内容にしたがって、前記カッター刃の回転動作を制御することを特徴とするものである。
【０００９】
請求項５に記載の発明は、請求項１ないし４のいずれかに記載のシュレッダー装置において、前記カッター部は、上下方向に配置された第１カッター刃と第２カッター刃とを備えてなり、前記両カッター刃の噛合部の左右一方側に第１投入部が、他方側に第２投入部が配置され、第１投入部の下部に第２収納部が、第２投入部の下部に第１収納部が配置されていることを特徴とするものである。
【００１０】
請求項６に記載の発明は、請求項１ないし４のいずれかに記載のシュレッダー装置において、前記カッター部は、第２カッター刃を挟んで水平方向の一方側に第１カッター刃が、他方側に第３カッター刃がそれぞれ配置されてなり、前記第１、第２カッター刃の噛合部の上方に第１投入部が、前記第２、第３カッター刃の噛合部の上方に第２投入部が配置され、前記第１、第２カッター刃の噛合部の下方に第２収容部が、第２、第３カッター刃の噛合部の下方に第１収容部が配置されていることを特徴とするものである。
【００１１】
請求項７に記載の発明は、請求項１ないし６のいずれかに記載のシュレッダー装置において、前記共通のカッター刃の回転動作に連動することにより、前記投入部に投入された細断対象物を前記カッター刃の噛合部までガイドするガイド位置と、前記ガイドを解除する退避位置との間で移動可能なガイド部材を投入部ごとに有し、前記ガイド部材は、当該ガイド部材に対応する投入部に投入されるべき細断対象物と異なる細断対象物の細断時には前記退避位置に退避することにより、その細断対象物の細断屑が当該ガイド部材に対応する投入部に向かって逆向きに案内されるのを防止し、且つ該細断屑を収容すべき収容部に案内する機能を有し、当該ガイド部材に対応する投入部に投入されるべき細断対象物の細断時には前記ガイド位置に位置し、投入された細断対象物を前記カッター刃の噛合部までガイドする機能を有することを特徴とするものである。
【００１２】
請求項８に記載の発明は、請求項１ないし７のいずれかに記載のシュレッダー装置において、前記共通のカッター刃の回転動作に連動することにより、投入された細断対象物と異なる種類の細断対象物の細断屑を収容する収容部を閉塞し、且つ投入された細断対象物の細断屑を収容する収容部に向けて細断屑の移動を案内するように傾斜姿勢となる混入防止板が備えられていることを特徴とするものである。
【００１３】
請求項９に記載の発明は、請求項１ないし８のいずれかに記載のシュレッダー装置において、前記細断対象物は、紙葉類及びディスク体であり、前記紙葉類が投入されるべき投入部は、波型形状のスリットを有しており、且つ前記スリットが延びる方向と直交する方向において、前記スリットを構成する一方の縁部における突出部と他方の縁部における突出部との間隔が、ディスク体の厚みより小さく設定されていることを特徴とするものである。
【発明の効果】
【００１４】
請求項１に記載の発明によれば、カッター部を、少なくとも一部のカッター刃を共通にする構成とし、第１細断対象物の細断と第２細断対象物の細断とでその共通のカッター刃を逆方向に回転させるようにしたので、異なる種類の細断対象物を細断するにあたり、前記共通のカッターが兼用される。これにより、細断対象物の種類に応じて細断部を備える構成に比して、シュレッダー装置のコストアップや大型化を防止又は抑制することができる。
【００１５】
なお、本発明は、第１細断対象物の細断と第２細断対象物の細断とで共通のカッター刃を逆方向に回転させる動作は、自動的に行う形態と手動で行う形態とを含む。
【００１６】
また、第１、第２細断対象物の細断屑を個別に収容する第１、第２収容部は、例えば異なる箱でそれぞれ各収容部を構成する形態の他に、１つの箱の中に仕切りを設けて各収容部を構成する形態も含む。
【００１７】
また、第１、第２細断対象物の細断屑を個別に収容する第１、第２収容部を備えたので、細断屑を分別しながら収納することができる。
【００１８】
請求項２に記載の発明によれば、前記カッター刃の回転動作の開始及び停止を指示するための操作部を備え、前記細断制御部は、前記操作部による指示内容にしたがって、前記カッター刃の回転動作を制御するようにしたので、手動で、カッター刃の回転動作の開始及び停止を指示することができる。
【００１９】
請求項３に記載の発明によれば、第１、第２投入部への各細断対象物の投入を検知する投入センサを備え、この投入センサの検知結果に応じて前記カッター刃の回転方向を決定するようにしたので、細断対象物の種類に応じて細断動作が自動的に行われる。
【００２０】
請求項４に記載の発明によれば、前記カッター刃の回転動作の開始及び停止を指示するための第１の操作部と、前記投入センサによる検知動作のオンオフを切換える第２の操作部とを備え、前記細断制御部は、前記第２の操作部により前記投入センサによる検知動作がオフされた場合に、前記第１の操作部が操作されると、前記細断制御部は、前記操作部による指示内容にしたがって、前記カッター刃の回転動作を制御するようにしたので、自動でカッター刃の回転動作の開始及び停止を行う構成においても、手動によるカッター刃の回転動作の開始及び停止を行うことができる。
【００２１】
請求項５に記載の発明によれば、前記カッター部を、上下方向に配置された第１カッター刃と第２カッター刃とを備えて構成し、両カッター刃の噛合部の左右一方側に第１投入部を、他方側に第２投入部を配置し、第１投入部の下部に第２収納部を、第２投入部の下部に第１収納部を配置したので、シュレッダー装置のコストアップや大型化を防止又は抑制することができる。
【００２２】
請求項６に記載の発明によれば、前記カッター部を、第２カッター刃を挟んで水平方向の一方側に第１カッター刃を、他方側に第３カッター刃をそれぞれ配置して構成し、第１、第２カッター刃の噛合部の上方に第１投入部を、第２、第３カッター刃の噛合部の上方に第２投入部を配置し、第１、第２カッター刃の噛合部の下方に第２収容部を、第２、第３カッター刃の噛合部の下方に第１収容部を配置したので、シュレッダー装置のコストアップや大型化を防止又は抑制することができる。
【００２３】
請求項７に記載の発明によれば、ガイド部材は、当該ガイド部材に対応する投入部に投入されるべき細断対象物と異なる細断対象物の細断時には前記退避位置に退避することにより、その細断対象物の細断屑が当該ガイド部材に対応する投入部に向かって逆向きに案内されるのを防止し、且つ該細断屑を収容すべき収容部に案内する機能を有し、当該ガイド部材に対応する投入部に投入されるべき細断対象物の細断時には前記ガイド位置に位置し、投入された細断対象物を前記カッター刃の噛合部までガイドする機能を有するようにしたので、当該ガイド部材に対応する細断対象物と異なる細断対象物の細断時にその細断される細断対象物の細断屑が当該ガイド部材に対応する投入部に詰まるのを防止するとともに、細断屑を収容すべき収容部により確実に案内することができる。
【００２４】
請求項８に記載の発明によれば、前記共通のカッター刃の回転動作に連動することにより、投入された細断対象物と異なる種類の細断対象物の細断屑を収容する収容部を閉塞し、且つ投入された細断対象物の細断屑を収容する収容部に向けて細断屑の移動を案内するように傾斜姿勢となる混入防止板を備えたので、細断動作により発生した細断対象物の細断屑がこの細断対象物と異なる種類の細断対象物に対応する収納部に混入するのを防止することができるとともに、該細断屑を対応する収納部に確実に収容することができる。
【００２５】
請求項９に記載の発明によれば、前記紙葉類が投入されるべき投入部は、波型形状のスリットを有し、且つ前記スリットが延びる方向と直交する方向において、前記スリットを構成する一方の縁部における突出部と他方の縁部における突出部との間隔を、ディスク体の厚みより小さく設定したので、紙葉類が投入されるべき投入部へのディスク体の誤投入を防止することができる。
【発明を実施するための最良の形態】
【００２６】
以下、本発明に係るシュレッダー装置の実施形態を図面に基づいて説明する。図１は、本発明に係るシュレッダー装置の第１の実施形態の構成を示す一側面図、図２は、その平面図である。なお、以下の説明において、図１の紙面表裏方向をシュレッダー装置の前後方向、図１の左右方向をシュレッダー装置の左右方向、図１の上下を方向シュレッダー装置の上下方向というものとする。
【００２７】
図１に示すように、シュレッダー装置１は、立直した装置本体１ａを有し、装置本体１ａの上部に細断対象物を投入するための投入部２を備えるとともに、装置本体１ａ内に細断対象物を細断する細断部３と、細断部３による細断動作により生じた細断屑を収納する収納部４とが内装されている。
【００２８】
シュレッダー装置１は、紙等の紙葉類と、フロッピーディスク（登録商標）やコンパクトディスク等の記録媒体としてのディスク体との２種類の細断対象物が細断可能とされており、図１に示すように、投入部２には、細断対象物の種類に応じて投入口が備えられている。すなわち、投入部２は、装置本体１ａの上部に、紙葉類を投入するための紙葉類投入部２ａと、ディスク体を投入するためのディスク体投入部２ｂとが上下方向に配列して設けられている。
【００２９】
細断部３は、紙葉類又はディスク体が予め決められた投入部に投入されたとき、すなわち、紙葉類投入部２ａには紙葉類が、ディスク体投入部２ｂにはディスク体が投入されたときに、その細断対象物を細断するものであり、図１の点線で示すように、シュレッダー装置１の前後方向に伸びる一対のカッター（後述する第１、第２カッター２６，２７）が互いに噛合した状態で上下に配置されて構成されている。細断部３の構成については後で詳述する。
【００３０】
収納部４は、種類の異なる細断対象物（紙葉類とディスク体）の細断屑を分別して収納するため、左右にそれぞれ屑箱４ａ，４ｂを有してなり、右側に位置する屑箱４ａは、紙葉類の細断屑を収納するための屑箱であり、左側に位置する屑箱４ｂは、ディスク体の細断屑を収納するための屑箱である。
【００３１】
図１の矢印Ａで示すように、紙葉類投入部２ａに投入された紙葉類は、細断部３の第１、第２カッター２６，２７の左側方から該カッター２６，２７の噛合部位に案内され、該カッター２６，２７で細断された後、その細断屑は右側に位置する屑箱４ａに排出される。
【００３２】
一方、ディスク体投入部２ｂに投入されたディスク体は、図１の矢印Ｂで示すように、第１、第２カッター２６，２７の右側方から前記噛合部位に案内され、該カッター２６，２７で細断された後、その細断屑は左側に位置する屑箱４ｂに排出される。
【００３３】
図２に示すように、装置本体１ａの前面は、左右方向の一端部が図略の蝶番等により回動自在に軸支され、他端部が開放可能に構成された開閉扉１ｂが設けられており、この開閉扉１ｂを開放することで、収納部４が外部に露出し、装置本体１ａから屑箱４ａ，４ｂが取り出し可能となる。
【００３４】
なお、装置本体１ａの上面適所には、操作パネルが設置されており、この操作パネルには、該シュレッダー装置１の主電源のオン／オフを行う電源ボタン５２、細断動作中である旨を報知するための細断ランプ５３、屑箱４ａ，４ｂ内の細断屑の満杯の有無や、細断能力を超える紙葉類が投入口２に投入された場合に、細断部３により噛み込んだ紙を一旦外部に排出することを促すべく報知を行うための停止／逆転ランプ５４が備えられている（図９参照）。
【００３５】
図３は、シュレッダー装置１の内部構造を示す側面視図、図４は、シュレッダー装置１から投入部２を取り外した状態の該シュレッダー装置１の構成を示すための図である。
【００３６】
図３に示すように、紙葉類投入部２ａの左端部には、紙葉類投入部２ａに投入された紙葉類を細断部３に向けて搬送する搬送装置５が備えられている。搬送装置５は、無端ベルト６が複数のプーリ７ａ（少なくとも１つは駆動プーリ）に張設されてなる搬送体と、無端ベルト６の一部位に押し付けられた状態で該無端ベルト６の走行により回転する搬送ローラ７ｂとを有して構成されている。なお、搬送ローラ７ｂは、トルクリミッター付きの逆回転ローラとし、捌き機能を持たせても良い。
【００３７】
載置板８は、傾斜して配置され、紙葉類を載置するものであり、下端部分には上方に鈍角で曲折された曲折案内部８ａが設けられている。曲折案内部８ａは、紙葉類投入部２ａに誤って投入されたディスク体の移動を塞き止めて、紙葉類投入部２ａから細断部３への入り込みを規制する機能を有する。また、無端ベルト６がＬ字状の周回路を有して張設されていることも、ディスク体の誤投入を阻止するものである。
【００３８】
搬送装置５においては、無端ベルト６が矢印Ｄの方向に走行することにより、搬送ローラ７ｂは反時計回りに回転し、この搬送ローラ７ｂと無端ベルト６とに挟持された紙葉類は、その挟持された位置から右斜め下方に搬送される。
【００３９】
載置板８の左端部近傍であってその裏面側には、紙葉類投入部２ａへの紙葉類の投入を検知する投入センサ９が備えられている。投入センサ９は、光を検知媒体とする投受光器を備えてなり、載置板８の適所に形成された図略の穴を介して、反射光の有無により紙葉類投入部２ａへの紙葉類の投入の有無を検知する。
【００４０】
すなわち、紙葉類投入部２ａに紙葉類が投入されていないときには、投入センサ９から無端ベルト６に向けて投光されるが、該無端ベルト６は、低反射性、例えば黒色とされているため、受光器には反射光が入射されない、又は入射光のレベルが所定値に達しない。一方、紙葉類投入部２ａに紙葉類が投入されると、該紙葉類によって受光器には前記所定値以上の反射光が入射される。この原理を用いて、投入センサ９は、紙葉類投入部２ａに紙葉類の投入の有無を検知する。
【００４１】
ディスク体投入部２ｂは、下方への傾斜面１ｃとその上方のフレーム１ｄとを有してなり、投入口２ｂの近傍には、ディスク体投入部２ｂへのディスク体の投入の有無を検知する投入センサ１０が設置されている。本実施形態では、投入センサ１０は、投入センサ９は略同様の構成を有する。
【００４２】
第１、第２カッター２６，２７の左右両側には、細断対象物を第１、第２カッター２６，２７の噛合部位に案内する案内板１１，１２が備えられている。案内板１１は、搬送装置５で搬送された紙葉類を第１、第２カッター２６，２７の噛合部位の左側方からその噛合部位に案内する機能を有するものであり、案内板１２は、ディスク体投入部２ｂから投入されたディスク体を第１、第２カッター２６，２７による噛合部位の右側方からその噛合部位に案内する機能を有するものである。
【００４３】
案内板１１，１２は、略同様の構成を有するものであり、シュレッダー装置１の前後方向に延びる板部１１ａ，１２ａと、この板部１１ａ，１２ａの板面から立直する連結部１１ｂ，１２ｂとを備えて構成されており、連結部１１ｂ，１２ｂは、前記板部１１ａ，１２ａにおける前記前後方向の一端部（フレーム１３ｂ側（図４参照）の端部）に形成されている。
【００４４】
案内板１１は、連結部１１ｂにおいて、図略のバネ等の付勢部材により図３の実線で示す位置から破線で示す位置に向けて反時計回りの方向に付勢された状態で、図４に示すように、シュレッダー装置１の前後に位置するフレーム１３ａ，１３ｂに架け渡された回転軸１４に回動自在に軸支されている。案内板１２は、連結部１２ｂにおいて、図略のバネ等の付勢機構により、図３の破線で示す位置から実線で示す位置に向けて時計回りに付勢された状態で、同じくフレーム１３ａ，１３ｂに架け渡された回転軸１５に回動自在に軸支されている。
【００４５】
そして、紙葉類が紙葉類投入部２ａから投入されたときには、案内板１１が図３の破線で示す案内位置に位置させて紙葉類の移動を案内する一方、案内板１２は、図３の破線で示す退避位置に位置させる。このように、案内板１２を退避位置に位置させるのは、該案内板１２を案内位置に位置させ続けることで、細断動作により飛散した紙葉類の細断屑が案内板１２によりディスク体投入部２ｂに逆方向に案内され、ディスク体投入部２ｂがその細断屑によって詰まるのを防止するとともに、案内板１２を前記退避位置に位置させることで、該案内板１２によってその飛散した紙葉類の細断屑を紙葉類用の屑箱４ａに案内させるためである。
【００４６】
また、ディスク体がディスク体投入部２ｂから投入されたときには、案内板１２が図３の実線で示す案内位置に位置してディスク体の移動を案内する一方、案内板１１は、図３の実線で示す退避位置に位置する。このように、案内板１１が退避位置に位置するのは、紙葉類が紙葉類投入部２ａから投入された場合に、案内板１２が退避位置に位置させる場合と略同様の理由である。
【００４７】
以上のように、案内板１１，１２は、投入された紙葉類やディスク体を第１、第２カッター２６，２７の噛合部位に案内する機能の他に、飛散した細断屑により紙葉類投入部２ａディスク体投入部２ｂが詰まるのを防止する機能と、その細断屑を適切な屑箱に案内する機能とを有する。
【００４８】
なお、案内板１１，１２の退避位置への回動は、第１、第２カッター２６，２７と連動して回転する後述の回転レバー１６（図６等参照）により行われる。なお、回転レバー１６は、図３では図面の視認性を考慮して図示していない。
【００４９】
細断部３は、図３、図４に示すように、モータユニット１７と、動力伝達機構１８と、カッターユニット１９と、セパレータ２０とを備えて構成されている。モータユニット１７、カッターユニット１９及びセパレータ２０は、フレーム１３ａ，１３ｂ間に配設されており、動力伝達機構１８は、奥側に位置するフレーム１３ａの外面側に配設されている。
【００５０】
モータユニット１７は、フレーム１３ａの内壁面に取り付けられたモータ２１と、このモータ２１で発生した回転駆動力を所定の減速比で減速する減速機２２とを備えてなる。
【００５１】
動力伝達機構１８は、減速機２２の出力をカッターユニット１９に伝達するものであり、減速機２２の出力軸とカッターユニット１９（後述の第２カッター２７）の一端部を支持するフレーム１３ａの外面側とに取り付けられたスプロケット２３，２４と、これらのスプロケット２３，２４に架け渡されたチェーン２５とを備えて構成されている。
【００５２】
カッターユニット１９は、フレーム１３ａ，１３ｂの間に設けられており、フレーム１３ａ，１３ｂに水平軸周りで回転可能に支持された長尺状の第１、第２カッター２６，２７が上下に配置されてなる。
【００５３】
図５に示すように、第１、第２カッター２６，２７は、それぞれ所定径の軸体に軸方向に切削加工等を施して一定の間隔で大径部を形成し、さらにこの大径部に周方向に一定間隔で谷部２９ａ，３０ａを穿設して複数枚の細断刃２９，３０を形成してなるものである。第１、第２カッター２６，２７は、大径部が相手側のカッターの大径部間に嵌り込む（噛み合う）ような位置関係を有して配置されている。
【００５４】
また、第１、第２カッター２６，２７の細断刃２９，３０は、互いに半ピッチだけ位相がずらされており、これにより、山部と谷部とが細断領域Ｌで軸方向に交互に配列されることで、細断対象物を効果的に細断するものである。
【００５５】
第１、第２カッター２６，２７の端部のうちフレーム１３側の端部には、それぞれ同一歯数のギヤ２８が互いに噛合した状態で取り付けられており（図４には、第１カッター２６に取り付けられたギヤ２８のみ図示）、第２カッター２７は、この一対のギヤ２８を介して第１カッター２６と同一速度で、且つ第１カッター２６と逆方向に従動回転する。なお、第２カッター２７の一端部は、ベアリング３７（図８参照）によりフレーム１３ｂに回転自在に軸支されている。
【００５６】
モータ２１は、紙葉類の細断時には、第１カッター２６を反時計回りに（第２カッター２７を時計回りに）回転させる一方、ディスク体の細断時には、第１カッター２６を時計回りに（第２カッター２７を反時計回りに）回転させる。モータ２１による回転駆動は、後述の制御部５５（図９参照）により行われる。
【００５７】
図３に戻り、セパレータ３１，３２は、第１、第２カッター２６，２７の周方向一部にそれぞれ対応して複数の突起が形成され、各カッター２６，２７の大径部間に嵌入する構造を備えた部材であり、細断刃２９，３０の各間隙に挟まった細断屑を、前記第１、第２カッター２６，２７の噛合部位から外れた位置で除去する。セパレータ３１は上方に、セパレータ３２は下方にそれぞれ延設され、フレーム１３ａ，１３ｂ間に架け渡された支持軸３３，３４がその延設部を貫通して、セパレータ３１，３２は、フレーム１３ａ，１３ｂに固定されている。
【００５８】
以上の構成に加えて、シュレッダー装置１には、異なる種類の細断対象物の細断屑が屑箱４ａ，４ｂに混入するのを防止する細断屑混入防止機構３５が備えられている。図６は、図４の矢印Ｃの方向から見た図である。
【００５９】
図４、図６に示すように、細断屑混入防止機構３５は、第２カッター２７のフレーム１３ｂ側の端部に取り付けられた前述の回転レバー１６と、フレーム１３ｂに形成されたガイド用長穴１４ａと、第２カッター２７の下方に配置された混入防止板３６とを備えてなる。なお、細断屑混入防止機構３５のうち、混入防止板３６に動力を伝達する機構は、手前側のフレーム１３ｂ及びその外面側に配設されている。
【００６０】
回転レバー１６は、互いに反対方向に延びる第１レバー部１６ａと第２レバー部１６ｂとを有する長尺板状の部材であり、第１レバー部１６ａは、案内板１１，１２の位置（姿勢）を変更させるためのものであり、第２レバー部１６ｂは、混入防止板３６の位置（姿勢）を変更させるためのものである。
【００６１】
第２レバー部１６ｂの先端部には、シュレッダー装置１の前後方向（図６の表裏方向）にスライド軸３８が内方に突設され、このスライド軸３８は、フレーム１３ｂに形成されたガイド用長穴１４ａに貫通している。ガイド用長穴１４ａは、左右方向に延びる円弧状の穴であり、中央部が両端部より下方に湾曲した形状を有する。
【００６２】
混入防止板３６は、フレーム１３ａ，１３ｂ間に配設された湾曲状の板状部材である。混入防止板３６の左右方向における両端部には、曲折形成されてなるフック部３６ａ，３６ｂが設けられており、フック部３６ａ，３６ｂは、混入防止板３６の端部が鋭角的に下面側に曲折され、さらに曲折された部分の先端側が下面側に曲折されてなる。
【００６３】
一方、フレーム１３ａ，１３ｂには、ガイド用長穴１４ａの両端部近傍位置に棒状のストッパ３９，４０が、また、ガイド用長穴１４ａの中央部近傍位置には棒状の固定軸４１がそれぞれ架け渡されており、これらのストッパ３９，４０及び固定軸４１は、混入防止板３６が所定の姿勢のときに、混入防止板３６のフック部３６ａ，３６ｂと係合するように構成されている。
【００６４】
このような構成を有する細断屑混入防止機構３５にあっては、回転レバー１６が回転すると、そのスライド軸３８を介して混入防止板３６の姿勢が変更されるようになっている。
【００６５】
今、混入防止板３６が図６のＸ１で示す姿勢であるものとする。この状態から、回転レバー１６が時計回りに回転すると、スライド軸３８は、ガイド用長穴１４ａに挿通した状態で左方に移動し、図６のＸ２で示す位置で混入防止板３６に当接する。そして、回転レバー１６の時計周りの回転に伴い、スライド軸３８は、その位置で混入防止板３６を下方からすくい上げ、混入防止板３６のフック部３６ａと固定軸４１との係合を解除する。
【００６６】
さらに回転レバー１６が時計回りに回転すると、図６のＸ３で示すように、スライド軸３８が混入防止板３６のフック部３６ａに係合した後、スライド軸３８により混入防止板３６がフック部３６ａで左側に引っ張られることにより、図７のＸ４で示すように、混入防止板３６のフック部３６ｂとストッパ４１との係合が解除され、混入防止板３６は、右斜め下方に垂れ下がる姿勢となる。
【００６７】
その後、混入防止板３６は、固定軸４１上に乗った状態でスライド軸３８により引き上げられ、図７のＸ５で示すように、スライド軸３８がガイド用長穴１４ａの左端部に当接すると略同時に、混入防止板３６のフック部３６ａがストッパ４０に係合し、且つフック部３６ｂが固定軸４１と係合する。
【００６８】
これにより、混入防止板３６が、右斜め下方に傾斜した姿勢に固定される。後述するように、この姿勢は、紙葉類の細断時に形成され、紙葉類の細断屑がディスク体の細断屑用の屑箱４ｂに混入するのが防止されるとともに、紙葉類の細断時に飛散する細断屑が、混入防止板３６の表面上を滑り落ちて紙葉類用の屑箱４ａに案内される。
【００６９】
また、この状態から、回転レバー１６が反時計回りに回転すると、スライド軸３８がガイド用長穴１４ａの左端部から右端部に移動し、この過程で、混入防止板３６の姿勢が、図７に示す右斜め下方に傾斜した姿勢から図６に示す右斜め上方に傾斜した姿勢に変更される。
【００７０】
ところで、回転レバー１６の回転は、スライド軸３８の移動範囲（ガイド用長穴１４ａの形成範囲）に限られているため、回転レバー１６は、この移動範囲においてのみ第２カッター２７とともに回転し、スライド軸３８がガイド用長穴１４ａの左端部又は右端部に当接したときには、スライド軸３８に過度の負荷が作用しないように、第２カッター２７の回転力が回転レバー１６に伝達しないようにする必要がある。このような構成を実現するため、本実施形態では、次に説明するようなトルクレス機構４２が備えられている。
【００７１】
図８（ａ）は、トルクレス機構４２の構成を示す一部断面図であり、図８（ｂ）は、図８（ａ）のＸ−Ｘ線矢視断面図である。
【００７２】
トルクレス機構４２は、トルク伝達ピン４３と、トルク入力スリーブ４４と、トルクリミッター４５と、トルク出力スリーブ４６とを有して構成されている。
【００７３】
トルク伝達ピン４３は、第２カッター２７のカッター軸２７ａの先端部適所に形成された孔２７１に嵌入する棒状の部材であり、第２カッター２７のカッター軸２７ａから径方向に所定長さだけ突出した状態で取り付けられている。
【００７４】
トルク入力スリーブ４４は、第２カッター２７のカッター軸２７ａの先端部に相対回転可能に外嵌する略円筒状の部材であり、Ｃリング４７により抜け止めされている。トルク入力スリーブ４４は、ベアリング３７側の端部に切欠き部４４ａを有しており、トルク伝達ピン４３は、この切欠き部４４ａを介して径方向外方に突出する。第２カッター２７の回転により、トルク伝達ピン４３が切欠き部４４ａを構成する周方向の端部に当接すると、第２カッター２７のカッター軸２７ａに発生したトルクがトルク伝達ピン４３を介してトルク入力スリーブ４４に伝達され、これにより、トルク入力スリーブ４４は、第２カッター２７と一体的に回転する。
【００７５】
また、トルク伝達ピン４３が、切欠き部４４ａを構成する周方向の端部に当接しない間、換言すれば、第２カッター２７のカッター軸２７ａがトルク入力スリーブ４４に対して相対回転し、トルク伝達ピン４３が切欠き部４４ａ内を移動している間は、カッター軸２７ａに発生したトルクはトルク入力スリーブ４４に伝達されない。
【００７６】
トルクリミッター４５は、トルク入力スリーブ４４に外嵌する円環状の部材であり、トルク出力スリーブ４６は、トルクリミッター４５に相対回転可能に外嵌する中空の円筒形状を有する部材である。トルクリミッター４５は、トルク出力スリーブ４６との間において周方向に最大静止摩擦力以上の力が作用すると、トルク出力スリーブ４６に対して相対回転するようになっている。トルク出力スリーブ４６には、回転レバー１６が固着状態で外嵌している。
【００７７】
そして、トルクレス機構４２においては、回転レバー１６のスライド軸３８がガイド用長穴１４ａの端部以外の位置に位置するとき、トルク伝達ピン４３がトルク入力スリーブ４４の切欠き部４４ａを構成する周方向の一方の端部に当接し、第２カッター２７のカッター軸２７ａに発生したトルクが、トルク伝達ピン４３を介してトルク入力スリーブ４４に伝達される。このとき、トルクリミッター４５とトルク出力スリーブ４６との間においては、周方向に最大静止摩擦力以上の力は作用しないため、トルク入力スリーブ４４、トルクリミッター４５、トルク出力スリーブ４６及び回転レバー１６は、第２カッター２７と一体的に回転する。
【００７８】
そして、回転レバー１６のスライド軸３８が、ガイド用長穴１４ａの端部（右端部又は左端部）に当接すると、回転レバー１６の回転は規制される一方、第２カッター２７に発生したトルクは、トルクリミッター４５まで伝達されるから、トルクリミッター４５とトルク出力スリーブ４６との間において周方向に最大静止摩擦力以上の力が作用する。このため、トルクリミッター４５はトルク出力スリーブ４６に摺接しながら相対回転し、第２カッター２７のカッター軸２７ａのトルクがトルク出力スリーブ４６に伝達されない。
【００７９】
このような構成により、第２カッター２７は回転を継続させつつ、スライド軸３８とフレーム１３ａ（ガイド用長穴１４ａの端部部分）との間に過度な負荷が作用することなく回転レバー１６は回転を停止させる構成が実現される。
【００８０】
ここで、前述したように、シュレッダー装置１は、細断能力を超える紙葉類が投入口２に投入された場合には、細断部３で噛み込んだ紙葉類を外部に排出するようになっている旨前述した。この場合、第２カッター２７をそれまでの回転方向とは逆の方向に所定の角度だけ回転させる（以下、この回転動作をオートリバースという）ことになるが、この第２カッター２７の逆回転に伴って回転レバー１６も逆方向に回転することは好ましくない。それは、第２カッター２７の逆回転に伴って回転レバー１６も逆方向に回転すると、混入防止板３６が現状の姿勢に維持されなくなり、オートリバース後に引き続いて投入される細断対象物の細断動作を開始するに際し、混入防止板３６の姿勢を前記現状の姿勢に戻すためにその開始が遅延したり、屑箱に異なる種類の細断対象物の細断屑が混入したりする虞があるからである。
【００８１】
そこで、回転レバー１６が、オートリバース時に行われる第２カッター２７の所定角度の逆回転動作に連動しないように、トルク入力スリーブ４４における切欠き部４４ａの周方向の長さが第２カッター２７による逆回転の角度（前記所定角度）に対応する長さに設定されている。
【００８２】
すなわち、切欠き部４４ａの周方向の一方の端部に当接していたトルク伝達ピン４３が、第２カッター２７の逆回転により他方の端部に向けて移動するまでの間、すなわち第２カッター２７が所定角度の逆回転動作を行っている間、第２カッター２７のカッター軸２７ａのトルクがトルク入力スリーブ４４に伝達されないようにしている。
【００８３】
次に、図６に戻って、回転レバー１６の第１レバー部１６ａの機能について説明する。
【００８４】
案内板１１，１２の回転軸１４，１５には、フレーム１３ｂを挟んでその外面側に、一方向にやや長尺の平板状のレバー４８，４９が固定して取り付けられている。レバー４８，４９には、回転軸１４，１５と反対側の端部において外側に突出するピン４８ａ，４９ａが設けられており、回転レバー１６の第１レバー部１６ａは、このピン４８ａ，４９ａに当接して案内板１１，１２を回転させるようになっている。
【００８５】
すなわち、図６に示すように、スライド軸３８がガイド用長穴１４ａの右端部に位置するとき（ディスク体の細断時）、第１レバー部１６ａは、ピン４８ａに当接し、案内板１１に作用する付勢力に抗してレバー４８を時計回りに回転させ、これにより案内板１１を退避位置に位置させる一方、案内板１２は、時計回りの方向に作用する付勢により案内位置に位置する。これにより、案内板１２は、ディスク体投入部２ｂに投入されたディスク体を、第１、第２カッター２６，２７の噛合部位に向けて右側方から案内する。
【００８６】
また、図７に示すように、スライド軸３８がガイド用長穴１４ａの左端部に位置するとき（紙葉類の細断時）、第１レバー部１６ａは、ピン４８ｂに当接し、案内板１２に作用する付勢力に抗してレバー４９を反時計回りに回転させ、これにより案内板１２を退避位置に位置させる一方、案内板１１は、反時計回りの方向に作用する付勢により案内位置に位置する。これにより、案内板１１は、紙葉類投入部２ａに投入された紙葉類は、第１、第２カッター２６，２７の噛合部位に向けて左側方から案内する。
【００８７】
このように、回転レバー１６の第１レバー部１６ａは、レバー４８のピン４８ａ及びレバー４９のピン４９ａを介して、案内板１１，１２を回転させる機能を有する。
【００８８】
図３に戻り、シュレッダー装置１内部の適所には、屑箱３に細断屑が満杯になったことを検出する満杯検知センサ５０，５１が備えられている。屑箱４ａ内の細断屑（紙葉類の細断屑）の満杯を検出する満杯検知センサ５０は屑箱４ａの上方適所に、屑箱４ｂ内の細断屑（ディスク体の細断屑）の満杯を検出する満杯検知センサ５１は、屑箱４ｂの上方適所にそれぞれ取り付けられている。
【００８９】
満杯検知センサ５０，５１は、例えばフォトセンサからなり、放射状に光を出力する発光部と該発光部の近傍位置で反射光を受光する受光部とを備えて構成された反射型センサである。満杯検知センサ５０，５１は、発光点から所定距離離間した位置まで放射状に広がる検出領域、つまり受光部における検知レベルが設定されており、紙葉類の細断屑が満杯状態であると判断すべき高さは、屑箱４ａ，４ｂの上縁部より低い位置であってその検出領域内に設定されている。これにより、満杯検知センサ５０，５１は、紙葉類の細断屑が前記所定の高さまで堆積すると、屑箱４ａ，４ｂが満杯状態になったものと検出する。
【００９０】
図９は、シュレッダー装置１の電気的な構成の一例を示すブロック図である。図９に示すように、シュレッダー装置１は、図１〜図８にそれぞれ示したものに相当する投入センサ９，１０、モータ２１、第１カッター２６及び満杯検知センサ５０，５１と、前述の電源ボタン５２、細断ランプ５３、停止／逆転ランプ５４と、例えば制御プログラムを記憶するＲＯＭや一時的にデータを記憶するＲＡＭからなる記憶部が内蔵されたマイクロコンピュータからなる制御部５５とを備える。
【００９１】
制御部５５は、上述した投入センサ９，１０、モータ２１、満杯検知センサ５０，５１、細断ランプ５３、停止／逆転ランプ５４の駆動を関連付けて制御するべく、機能的に、投入検知信号受信部５６、満杯検知信号受信部５７、細断制御部５８及び点灯制御部５９を備える。
【００９２】
投入検知信号受信部５６は、紙葉類投入部２ａ又はディスク体投入部２ｂに紙葉類又はディスク体が投入されると、投入センサ９，１０から出力される投入検知信号を受信するものである。
【００９３】
満杯検知信号受信部５７は、満杯検知センサ５０，５１から出力される満杯検知信号（細断対象物の細断屑の検出信号）を受信するものである。
【００９４】
細断制御部５８は、投入検知信号受信部５６により投入検知信号が受信されると、細断部３に細断動作を行わせるべくモータ２１を回転させるものである。細断制御部５８は、紙葉類投入部２ａに紙葉類が投入された旨の信号を受信したときには、モータ２１を正回転させ、図３において第１カッター２６を反時計回りに、第２カッター２７を時計回りに回転させる一方、ディスク体投入部２ｂにディスク体が投入された旨の信号を受信したときには、モータ２１を逆回転させ、図３において第１カッター２６を時計回りに、第２カッター２７を反時計回りに回転させる。
【００９５】
また、細断制御部５８は、満杯検知信号受信部５７により満杯検知信号が受信されると、細断部３による細断動作を禁止するものである。細断制御部５８は、紙葉類の細断中に紙葉類用の屑箱４ａが満杯になった旨の信号を受信したときには、モータ２１を前記逆回転させて細断部３により噛み込んだ紙葉類を紙葉類投入部２ａから排出させた後、モータ２１の作動を停止して細断を禁止する一方、ディスク体の細断中にディスク体用の屑箱４ｂが満杯になった旨の信号を受信したときには、細断中のディスク体の細断が完了した後、モータ２１の作動を停止して細断部３による細断動作を禁止する。
【００９６】
このように、ディスク体の細断中にあっては、ディスク体用の屑箱４ｂが満杯になった場合でも細断中のディスク体の細断動作を継続させるのは、紙葉類の場合と同様に、細断中のディスク体をディスク体投入部２ｂから排出するようにすると、その細断によって生じたディスク体の破片が飛散する虞があるからであり、シュレッダー装置１及びその周囲の美観や安全性を考慮したものである。
【００９７】
また、細断制御部５８は、細断能力を超える紙葉類が紙葉類投入部２ａに投入されたときには、モータ２１を前記逆回転させて紙葉類を紙葉類投入部２ａから排出させる。
【００９８】
点灯制御部５９は、細断制御部５８により細断部３の細断動作が停止されたことを受けて、その旨を報知するべくシュレッダー装置１の上面に設けられた停止／逆転ランプ５４を点灯させるものである。
【００９９】
図１０は、制御部５５の細断処理の一例を示すフローチャートである。
【０１００】
図１０に示すように、投入検知信号受信部５６が投入検知信号を受信すると（ステップ♯１でＹＥＳ）、細断制御部５８は、細断対象物が紙葉類であるか否かを判断する（ステップ♯２）。その結果、紙葉類である場合には（ステップ♯２でＹＥＳ）、細断制御部５８は、モータ２１を正回転させ、第１カッター２６を反時計回りに、第２カッター２７を時計回りに回転させる（ステップ♯３）。
【０１０１】
これにより、スライド軸３８がガイド用長穴１４ａ内を右端側に移動（図６、図７参照）し、この移動に伴って、混入防止板３６は、図３、図６に示すように、ディスク体用の屑箱４ｂの上方に覆い被さるような位置に位置し、飛散する紙葉類の細断屑がその屑箱４ｂに混入するのを防止して、紙葉類用の屑箱４ａに案内する。また、回転レバー１６の第１レバー１６ａがピン４９ａに当接してレバー４９を反時計回りに回転させ、案内板１２を退避位置に位置させる。
【０１０２】
ステップ♯２において細断対象物がディスク体である場合には（ステップ♯２でＮＯ）、細断制御部５８は、モータ２１を逆回転させ、第１カッター２６を時計回りに、第２カッター２７を反時計回りに回転させる（ステップ♯４）。
【０１０３】
これにより、スライド軸３８がガイド用長穴１４ａ内を左端側に移動し、この移動に伴って、混入防止板３６は、図３、図７に示すように、紙葉類用の屑箱４ａの上方に覆い被さるような位置に位置し、飛散するディスク体の細断屑がその屑箱４ａに混入するのを防止して、ディスク体用の屑箱４ｂに案内する。また、回転レバー１６の第１レバー１６ａがピン４８ａに当接してレバー４８を時計回りに回転させ、案内板１１を退避位置に位置させる。
【０１０４】
投入検知信号受信部５６による投入検知信号の受信中は、細断制御部５８は、ステップ♯２〜♯４の動作を繰り返し行い、投入検知信号受信部５６により投入検知信号が受信されなくなると（ステップ♯１でＮＯ）、細断制御部５８は、モータ２１の回転を停止する（ステップ♯５）。
【０１０５】
図１１は、制御部５５の満杯検出処理の一例を示すフローチャートである。なお、この処理は、図１０に示す制御部５５の細断処理に割り込んで行われる処理の一例である。
【０１０６】
図１１に示すように、満杯検知信号受信部５７が満杯検知信号を受信すると（ステップ♯１１でＹＥＳ）、細断制御部５８は、屑箱４ａ又は４ｂが満杯状態になったものと判定する（ステップ♯１２）。このとき、細断中の細断対象物が紙葉類である場合には（ステップ♯１３でＹＥＳ）、モータ２１を前記逆回転させて紙葉類を紙葉類投入部２ａから排出させた後、細断部３による細断動作を禁止し（ステップ♯１４）、細断中の細断対象物がディスク体である場合には（ステップ♯１３でＹＥＳ）、細断制御部５８は、細断中のディスク体の細断を完了させた後、細断部３による細断動作を禁止する（ステップ♯１５）。そして、点灯制御部５９は、細断制御部５８により細断部３の細断動作が禁止された旨を報知するべく、停止／逆転ランプ５４を点滅させる（ステップ♯１７）。
【０１０７】
以上のように、異なる細断対象物の細断を１対のカッター（第１、第２カッター２６，２７）で兼用したので、異なる細断対象物に応じて１対のカッターを備える構成に比して、シュレッダー装置１の大型化やコストアップを抑制することができる。
【０１０８】
また、１対のカッター２６，２７に対して細断対象物の種類に応じた方向から細断対象物を細断位置に搬送し、その搬送方向に応じて、前記１対のカッターの回転方向を設定するとともに、その１対のカッターによる細断屑の排出側にそれぞれ屑箱を設置したので、細断動作により生じた細断屑を、細断対象物の種類に分別して収納することができる。
【０１０９】
さらに、カッター２６，２７の回転に連動する混入防止板３６を備えたので、屑箱に異なる細断対象物の細断屑が混入するのを防止し、細断屑を適切な屑箱に案内することができる。
【０１１０】
なお、本発明は、前記実施形態に加えて、あるいは前記実施形態に代えて次の形態（１）〜（１６）に説明する変形形態も採用可能である。
【０１１１】
（１）前記第１の実施形態における細断屑混入防止機構３５に代えて、例えば次のような構成を有する細断屑混入防止機構でもよい。図１２は、細断屑混入防止機構の他の変形形態を示す図である。なお、以下に説明する各変形形態の構成を示す図においては、図面に視認性のため、一部の部材（例えばセパレータ等）の図示を省略している。
【０１１２】
本実施形態の細断屑混入防止機構６０は、前記第１の実施形態における細断屑混入防止機構３５と比較して、混入防止板の構成と回転レバーの回転に伴う混入防止板の動き方が異なるものであり、それ以外の点については略同様である。したがって、その相違点について主に説明することとし、また、同一又は略同様の部材等については、前記第１の実施形態と同一の符号を付するものとする。
【０１１３】
図１２に示すように、混入防止板６１は、平板状の部材であり、その板面に垂直な平面で切った断面をみたとき、面方向に長さの異なる２つの空洞部（第１空洞部６１ａ、第２空洞部６１ｂ）が形成されている。第１空洞部６１ａには、回転レバー１６の先端部に取り付けられたスライド軸３８が貫通し、一方、第２空洞部６１ｂには、固定軸４１が貫通している。また、フレーム１３ｂには、第１の実施形態と略同様のガイド用長穴１４ａが形成されており、スライド軸３８は、このガイド用長穴１４ａを貫通している。
【０１１４】
なお、ディスク体投入部２ｄは、第１の実施形態におけるディスク体投入部２ｂと同様の構成を有するものであり、また、図１２に示すシュレッダー装置は、前記第１の実施形態のような搬送装置５を備えておらず、紙葉類投入部２ｃは、細断部３に対してディスク体投入部２ｄと反対側に（細断部３に対してディスク体投入部２ｄと左右対称となるような位置に）設けられている。紙葉類投入部２ｃは、ディスク体投入部２ｄと同様の構成を有しており、下方への傾斜面１ｅとその上方のフレーム１ｆとを備えてなる。この紙葉類投入部２ｃに紙葉類が投入されると、傾斜面１ｅと案内板１１の板部１１ｂの板面を滑落して細断部３の細断位置に案内される。
【０１１５】
また、本実施形態では、案内板１１，１２の回転軸１４，１５上には、その回転軸１４，１５から垂直な方向に突出する突起１１ｃ，１２ｃが、１つ又は軸方向に所定間隔を介して複数形成されており、ディスク体の細断時には、案内板１１の突起１１ｃの先端部が紙葉類投入部２ｃの開口部位に位置して、該投入口２ｃへの紙葉類の投入を阻止し、紙葉類の細断時には、案内板１２の突起１２ｃの先端部がディスク体投入部２ｄの開口部位に位置して、該投入口２ｄへのディスク体の投入を阻止するようになっている。
【０１１６】
次に、図１３，図１４を参照して、回転レバー１６の回転に伴う混入防止板６１の動作について説明する。なお、図１３，１４においては、図面の視認性のため、混入防止板６１の動作説明に要する部材を主に図示しており、また、フレーム１３の奥側に位置する部材は点線で示している。
【０１１７】
今、混入防止板６１が図１３の１点鎖線で示す位置に位置するものとする。この状態は、混入防止板６１がディスク体用の屑箱４ｂの上方に位置する紙葉類の細断時の状態であり、細断により飛散する紙葉類の細断屑がディスク体用の屑箱４ｂに混入するのを板面６１ｃで防止し、その細断屑を紙葉類の屑箱４ａに案内する。なお、混入防止板６１の各端部をＰ端、Ｑ端というものとする。
【０１１８】
この状態から、ディスク体の細断を行う場合には、回転レバー１６を反時計回りに回転させる。これにより、回転レバー１６上のスライド軸３８は、混入防止板６１のガイド用長穴１４ａ内を左端部から右端部に向けて移動しつつ、混入防止板６１の空洞部６１ａ内をＱ端側に相対的に移動する一方、フレーム１３ｂ（図４参照）に設けられた固定軸４１は、混入防止板６１の空洞部６１ｂ内をＱ端側からＰ端側にそれぞれ相対的に移動する。その結果、混入防止板６１は、右斜め下方に傾斜した姿勢から、図１３の実線で示すように、直立姿勢となる。
【０１１９】
さらに回転レバー１６を反時計回りに回転させると、スライド軸３８は、混入防止板６１のガイド用長穴１４ａ内をさらに左端部から右端部に向けて移動しつつ、図１４に示すように、混入防止板６１の空洞部６１ａ内をＱ端側からＰ端側に相対的に移動するとともに、固定軸４１は、混入防止板６１の空洞部６１ｂ内をＰ端側からＱ端側に相対的に移動する。その結果、混入防止板６１は、１点鎖線で示す直立姿勢から、実線で示す右斜め上方に傾斜した姿勢となる。
【０１２０】
これにより、混入防止板６１が紙葉類用の屑箱４ａの上方に位置する状態となり、ディスク体の細断動作により飛散するその細断屑が紙葉類用の屑箱４ａに混入するのを板面６１ｄで防止し、その細断屑をディスク体の屑箱４ａに案内することができる。
【０１２１】
なお、紙葉類の細断時には、図１４の実線で示す姿勢から図１３の１点鎖線で示す姿勢に変化させることで、紙葉類の細断動作により飛散するその細断屑がディスク体用の屑箱４ｂに混入するのを板面６１ｃで防止し、その細断屑を紙葉類の屑箱４ｂに案内することができる。
【０１２２】
特に本実施形態においては、ディスク体の細断時と紙葉類の細断時とで、混入防止板６１が細断部３に対し表裏反転するから、第１の実施形態に比して異なる種類の細断対象物の細断屑が屑箱に混入するのをより確実に防止することができる。
【０１２３】
すなわち、細断対象物の細断を行うと、その細断動作により発生する細断屑は帯電し、これにより、発生した静電気力によってその細断屑が混入防止板６１の表面に付着する場合がある。そして、例えば図１４の実線で示すように、紙葉類用の屑箱４ａの上方に位置する姿勢（ディスク体の細断時）のときには、帯電した細断屑の大半は、混入防止板６１のうちこの時点で細断部３に対向する板面６１ｄに付着することとなる。
【０１２４】
ここで、静電気力により混入防止板６１の表面に付着した細断屑は、時間の経過とともに放電し、混入防止板６１との間で作用する静電気力は極めて小さくなっていき、やがてその静電気力は作用しなくなる。したがって、細断屑に作用する重力により、混入防止板６１の板面６１ｄに付着していた紙葉類の細断屑は、その板面６１ｄを滑落していき、細断屑用の屑箱４ｂに収納される。あるいは、この状態から、混入防止板６１がディスク体用の屑箱４ｂの上方に位置する状態（図１３に示す状態、ディスク体の細断時）に遷移する過程において、及び図１３の１点鎖線で示すように混入防止板６１の板面６１ｄが紙葉類の屑箱４ａに対向したときに、ディスク体用の屑箱４ａに向けて落下することとなる。
【０１２５】
このように、本実施形態の混入防止板６１にあっては、静電気力により混入防止板６１に付着した紙葉類の細断屑が、常に、紙葉類用の屑箱４ａに案内されるようになっているから、混入防止板６１に付着した紙葉類の細断屑がディスク体用の屑箱４ｂに混入するのを防止することができる。また、紙葉類用の屑箱４ａの上方に位置する状態（ディスク体の細断時）においても、ディス体用の屑箱４ｂの上方に位置する状態（紙葉類の細断時）と同様である。
【０１２６】
これにより、本実施形態では、細断動作により帯電しその静電気力により混入防止板６１の表面に付着した細断屑の混入をも防止することができ、第１の実施形態に比して異なる種類の細断対象物の細断屑が屑箱に混入するのをより確実に防止することができる。
【０１２７】
（２）細断屑混入防止機構は、前記第１の実施形態及び変形形態（１）の他に、次のような構成でもよい。図１５，図１６は、細断屑混入防止機構の別の変形形態を示す図である。なお、本実施形態においても、一部の部材の図示を省略して相違点について主に説明することとし、また、同一又は略同様の部材等については、前記第１の実施形態と同一の符号を付するものとする。
【０１２８】
図１５に示すように、細断屑混入防止機構６２は、第２カッター２７のカッター軸２７ａ上に配置された回転レバー６３と、混入防止板６４と、フレーム１３ｂに形成された円弧状のガイド用長穴１４ａとを有して構成されている。混入防止板６４は、その板面の適所から突出する板状の突出部６４ａを有しており、この突出部６４ａと回転レバー６３の第２レバー部６３ｂ（図１６参照）とが、フレーム１３ｂのガイド用長穴１４ａを貫通するスライド軸６５の両端で連結されている。これにより、回転レバー６３の回転に伴って、混入防止板６４がガイド用長穴１４ａに沿って移動する。
【０１２９】
ディスク体の細断時、混入防止板６４は、図１６の仮想線で示すように、紙葉類用の屑箱４ａの上方に位置し、ディスク体の細断屑が紙葉類用の屑箱４ａに混入するのを防止し、その細断屑をディスク体用の屑箱４ｂに案内する。また、紙葉類の細断時には、混入防止板６４は、図１６の実線で示すように、ディスク体用の屑箱４ｂの上方に位置し、紙葉類の細断屑がディスク体用の屑箱４ｂに混入するのを防止し、その細断屑を紙葉類用の屑箱４ａに案内する。
【０１３０】
なお、本実施形態では、案内板１１，１２の駆動構造も第１の実施形態と異なっている。すなわち、第１の実施形態では、回転レバー１６の第１レバー部１６ａが、案内板１１，１２の回転軸１４，１５に固定して取り付けられたレバー４８，４９のピン４８ａ，４９ａに当接して、案内板１１，１２の姿勢変更を行わせる構成であったが、本実施形態では、案内板１１，１２及び回転レバー６３をリンク機構で連結し、回転レバー６３の回転に連動してリンク機構を介して案内板１１，１２の姿勢を変更させる構造となっている。
【０１３１】
具体的には、本実施形態における案内板１１，１２の駆動構造は、図１６に示すように、複数のリンクプレート６６〜６９を有してなり、リンクプレート６６の一端部は案内板１１の連結ピン７０ａに、リンクプレート６９の一端部は、案内板１２の連結ピン７０ｂにそれぞれ固定して取り付けられている。また、リンクプレート６６，６７、リンクプレート６７，６８、リンクプレート６８，６９は、それぞれ連結ピン７０ｃ，７０ｄ，７０ｅにより回転自在に連結されている。さらに、回転レバー６３の第１レバー部６３ａは、リンクプレート６７，６８と連結ピン７０ｅにより回転自在に連結されている。
【０１３２】
そして、ディスクの細断時には、回転レバー６３が図１６の仮想線で示す姿勢のときにリンク機構は図１６の仮想線で示す状態となり、案内板１１は退避位置に、案内板１２は、投入されたディスク体を細断部３に案内する案内位置にそれぞれ位置する。この状態から紙葉類の細断動作を行うときには、回転レバー６３が時計周りに回転し、リンク機構は、図１６の１点鎖線で示す状態から実線で示す状態に変化する。
【０１３３】
すなわち、回転レバー６３が時計周りに回転することにより、リンクプレート６８は連結ピン７０ｅを介して右側に押され、リンクプレート６７は連結ピン７０ｅを介して左側に引っ張られる。これにより、リンクプレート６６，６９は、連結ピン７０ａ，７０ｂを回転中心としてそれぞれ反時計回りに回転し、これに伴い、案内板１２は反時計回りに回転して退避位置に位置し、案内板１１は反時計回りに回転して案内位置に位置する。
【０１３４】
図１７は、細断屑混入防止機構及び案内板駆動構造の他の変形形態を示す図である。
【０１３５】
図１７に示すように、細断屑混入防止機構７１は、第２カッター２７のカッター軸２７ａ上に配置された回転レバー７２と、フレーム１３ｂに形成された円弧状のガイド用長穴１４ａと、混入防止板７３とを有して構成されている。
【０１３６】
回転レバー７２は、該レバー７２の軸中心から突出する板状の第１レバー部７２ａと、扇型形状の第２レバー部７２ｂとを有する部材である。混入防止板７３は、ガイド用長穴１４ａの形状に沿って湾曲した板状の部材である。混入防止板７３の裏面（第２カッター２７と対向する面と反対側の面）に、ガイド用長穴１４ａを貫通するスライド軸７４が固着されており、このスライド軸７４により第２レバー部７２ｂと混入防止板７３とが連結されている。これにより、回転レバー７２の回転に伴って、混入防止板７３がガイド用長穴１４ａに沿って移動する。なお、回転レバー７２の回転に伴う混入防止板７３の詳細な動作については、前記各実施形態と略同様であるから、その説明は省略する。
【０１３７】
本実施形態の案内板駆動構造は、図１５等で示すリンク機構とやや構造が異なるリンク機構で構成されている。すなわち、案内板駆動構造は、板状の複数のリンクプレート７５〜７７を有し、リンクプレート７５の一端部は、案内板１１の連結ピン７８ａに、リンクプレート７７の一端部は、案内板１２の連結ピン７８ｂにそれぞれ固定して取り付けられている。また、リンクプレート７６の各端部には、リンクプレート７５，７７がそれぞれ連結ピン７８ｃ，７８ｄに回動自在に連結されている。
【０１３８】
また、リンクプレート７６の適所には外方に突出するピン７７ａ，７７ｂが取り付けられており、第１レバー部７２ａは、時計回りに回転したときにはピン７７ｂに当接し、反時計回りに回転したときにはピン７７ａに当接するように構成されている。
【０１３９】
このような構成において、ディスク体の細断時には、回転レバー７２及びリンク機構が図１７に示す状態となり、案内板１２が、投入されたディスク体を細断部３に案内する案内位置に位置する。また、紙葉類の細断時には、回転レバー７２が時計周りに回転するのに伴って、リンク機構は、図１８の実線で示す状態に変化する。
【０１４０】
すなわち、回転レバー７２が時計周りに回転すると、第１レバー部７２ａはピン７７ｂを押し、リンクプレート７６は右側に移動し、リンクプレート７５，７７は、連結ピン７８ａ，７８ｂを回転中心として反時計周りに回転する。これに伴い、案内板１１は反時計回りに回転し、案内位置に位置するとともに、案内板１２は反時計回りに回転し、退避位置に位置する。
【０１４１】
図１９は、細断屑混入防止機構の別の変形形態を示す図である。
【０１４２】
図１９に示すように、細断屑混入防止機構７９は、レバー８０と、扇型の第１，第２ギヤ８１，８２と、混入防止板８３，８４と、ガイド用長穴１４ｂ〜１４ｅと、回転レバー８５，８６とを有して構成されている。
【０１４３】
レバー８０は、フレーム１３ｂの外面側において第２カッター２７のカッター軸２７ａ上に配置されており、外周縁部にギヤ歯が形成された円盤状のギヤ部８０ａと、このギヤ８０ａの外周縁部の所定位置から径方向外方に突出する棒状のレバー部８０ｂとを有する部材である。
【０１４４】
第１，第２ギヤ８１，８２は、円弧部分にギヤ歯が形成された平板状のギヤであり、フレーム１３ａ，１３ｂ（図４参照）に架け渡された回転軸８７，８８により回転可能に軸支されている。第１、第２ギヤ８１，８２は、それぞれレバー８０のギヤ部８０ａと噛合しており、レバー８０が例えば時計回りに回転すると、第１、第２ギヤ８１，８２は、回転軸８７，８８を中心として反時計回りに回転する。
【０１４５】
回転レバー８５，８６は、フレーム１３ａ，１３ｂ間において回転軸８７，８８に固定して連結されており、混入防止板８４，８５の適所にそれぞれ形成された係合穴８３ａ，８４ａに常時係合している。また、各混入防止板８３，８４の裏面（第２カッター２７と対向する面と反対側の面）には、フレーム１３ｂのガイド用長穴１４ｂ〜１４ｅを貫通するスライド軸８９〜９２が固着されている。
【０１４６】
ガイド用長穴１４ｂ，１４ｅは、上下に延びる長穴であり、第２カッター２７の左右に設けられている。また、ガイド用長穴１４ｃは、屈曲部を有する右下がり形状の長穴であり、ガイド用長穴１４ｂの下方に形成されている。ガイド用長穴１４ｄは、屈曲部を有する右上がり形状の長穴であり、ガイド用長穴１４ｅの下方に形成されている。
【０１４７】
このような構成において、紙葉類の細断時には、第１、第２ギヤ８１，８２とレバー８０とが図１９に示す位置にそれぞれ位置する、また、スライド軸８９はガイド用長穴１４ｅの最上端部に、スライド軸９０はガイド用長穴１４ｄの最右端部に位置し、混入防止板８３は直立姿勢となる一方、スライド軸９１はガイド用長穴１４ｂの最下端部に、スライド軸９２はガイド用長穴１４ｃの最右端部に位置し、混入防止板８４は、該混入防止板８４がとり得る姿勢の中で右下方に最も緩やかに傾斜した姿勢となり、混入防止板８４は、飛散した紙葉類の細断屑を紙葉類用の屑箱４ａに案内する。
【０１４８】
この状態から、ディスク体の細断動作を行うため、第２カッター２７が反時計回りに回転すると、これに伴って、レバー８０（ギヤ部８０ａ）は、反時計周りに回転する。このとき、図２０（ａ）に示すように、第１ギヤ８１は、回転軸８７を回転中心として時計回り（矢印Ａの方向）に回転し、これにより、回転レバー８５は、回転軸８８を回転中心として時計回り（矢印Ｂの方向）に回転する。また、第２ギヤ８８は、回転軸８８を回転中心として時計回り（矢印Ｅの方向）に回転し、これにより、回転レバー８６は、回転軸８７を回転中心として時計回り（矢印Ｆの方向）に回転する。
【０１４９】
混入防止板８３は、回転レバー８５と係合穴８３ａとの係合を介して該回転レバー８５により下方に押されるため、スライド軸８９は、ガイド用長穴１４ｅ内を下方（矢印Ｃの方向）に、スライド軸９０は、ガイド用長穴１４ｄ内を左方（矢印Ｄの方向）に移動し、混入防止板８３は、直立姿勢から傾斜姿勢となり、その傾斜角が小さくなっていく。
【０１５０】
一方、混入防止板８４は、回転レバー８６と係合穴８４ａとの係合を介して該回転レバー８６により上方に押し上げられるため、スライド軸９１は、ガイド用長穴１４ｂ内を上方（矢印Ｇの方向）に、スライド軸９２は、ガイド用長穴１４ｃ内を左方（矢印Ｈの方向）に移動し、混入防止板８４は、傾斜角が大きくなっていく。
【０１５１】
そして、図２０（ｂ）に示すように、スライド軸８９がガイド用長穴１４ｅの最下端部に、スライド軸９０がガイド用長穴１４ｄの最左端部に位置すると略同時に、スライド軸９１がガイド用長穴１４ｂの最上端部に、スライド軸９２がガイド用長穴１４ｃの最左端部に位置し、このとき、混入防止板８３は、該混入防止板８３がとり得る姿勢の中で左下方に最も緩やかに傾斜した姿勢となる一方、混入防止板８４は直立姿勢となり、混入防止板８３は、飛散したディスク体の細断屑をディスク体用の屑箱４ｂに案内し、混入防止板８４は、紙葉類用の屑箱４ａの上方に覆いかぶさる。
【０１５２】
なお、レバー８０のレバー部８０ｂの機能は、図６等で示した回転レバー１６の第１レバー部１６ａと略同様の機能を有するものであるため、その機能及び動作の説明は省略する。
【０１５３】
（３）回転レバー１６，６３，７１等にトルクを伝達するための構成は、前述のもの（図８）の他に、例えば次のような構成でもよい。
【０１５４】
図２１に示すトルク伝達構造は、スリーブベアリング９４と、トルク入力スリーブ９５と、トルクリミッター９６と、トルク出力スリーブ９７と、１対のギヤ９８，９９とを備えて構成されている。スリーブベアリング９４、トルク入力スリーブ９５、トルクリミッター９６及びトルク出力スリーブ９７は、それぞれ円筒形状を有しており、スリーブベアリング９４は、第２カッター２７のカッター軸２７ａに外嵌し、トルク入力スリーブ９５は、スリーブベアリング９４に外嵌する。さらに、トルクリミッター９６は、トルク入力スリーブ９５に外嵌し、トルク出力スリーブ９７は、トルクリミッター９６に外嵌する。
【０１５５】
トルク出力スリーブ９７には、前記のような回転レバー１６（例えば図６、図１２等参照）が取り付けられている。トルク出力スリーブ９７とトルクリミッター９６とは、相対回転可能に構成されており、これらの部材間に最大静止摩擦力以上の力が作用したときに、トルクリミッター９６とトルク出力スリーブ９７とは相対的に回転する。
【０１５６】
一方、図２１には図示していない第１カッター２６の回転軸には、第１ギヤ９８が固定して取り付けられていると共に、この第１ギヤ９８と第２ギヤ９９とが噛合している。第１ギヤ９８と第２ギヤ９９との歯数の比は、例えば１：５とされており、第２ギヤ９９には、第１ギヤ９８の回転が減速して伝達される。
【０１５７】
第２ギヤ９９のトルク出力スリーブ９７側の面の適所には、トルク伝達ピン１００が取り付けられている一方、トルク入力スリーブ９５は、第２ギヤ９９側の端面に突起９５ａが形成されており、トルク伝達ピン１００は、第２ギヤ９９の回転により、トルク入力スリーブ９５の突起９５ａに当接し得るようになっている。
【０１５８】
このトルク伝達構造においては、トルク入力スリーブ９５には、第２カッター２７のカッター軸２７ａから直接トルクが伝達される構成ではなく、第２ギヤ９９が、第１カッター２６のカッター軸から第１ギヤ９８を介してトルクの伝達を受け、第２ギヤ９９のトルク伝達ピン１００がトルク入力スリーブ９５の突起９５ａに当接することにより、トルク入力スリーブ９５にトルクが伝達されるようになっている。そして、トルク入力スリーブ９５からトルクリミッター９６を介して、トルク出力スリーブ９７にトルクが伝達され、回転レバー１６が回転する。
【０１５９】
そして、回転レバー１６に取り付けられたスライド軸３８がガイド用長穴１４ａの端部に当接すると、トルク入力スリーブ９５を介してトルクが伝達されているトルクリミッター９６とトルク出力スリーブ９７との間に最大静止摩擦力以上の力が作用し、トルクリミッター９６は、トルク出力スリーブ９７に対して相対回転し、トルク出力スリーブ９７には、トルクが伝達されなくなる。
【０１６０】
ところで、このようなトルク伝達構造においては、第１カッター２６の回転が減速してトルク入力スリーブ９５に伝達されるようになっているため、オートリバースを行う場合の、第１，第２カッター２６，２７の逆回転動作の回転数を多く設定することができる。
【０１６１】
すなわち、前述のように第１ギヤ９８と第２ギヤ９９との歯数の比が、例えば１：５であると仮定したとき、前記逆回転動作によって、第２ギヤ９９のトルク伝達ピン１００がそれまで当接していたトルク入力スリーブ９５の突起９５ａの一方の端面から他方の端面に当接するまでの間に、第１、第２カッター２６，２７は、その第２ギヤ９９の回転角度の５倍の角度だけ回転することとなる。この間は、第２ギヤ９９のトルク伝達ピン１００とトルク入力スリーブ９５の突起９５ａとは当接していないため、トルク入力スリーブ９５、延いてはトルク出力スリーブ９７にはトルクは伝達されず、回転レバー１６は回転しない。
【０１６２】
このように、図２１に示すトルク伝達構造においては、オートリバース時の第１，第２カッター２６，２７の回転数を多く設定することができるため、オートリバース時に、紙葉類を外部に完全に（確実に）排出することができる。
【０１６３】
（４）回転レバー１６，６３，７１等にトルクを伝達するための構成は、前述のもの（図８、図２１参照）の他に、例えば次のような構成でもよい。
【０１６４】
図２２に示すトルク伝達構造は、トルクリミッター１０１とトルク出力スリーブ１０２とソレノイド１０３とを有して構成されている。トルクリミッター１０１及びトルク出力スリーブ１０２は、それぞれ円筒形状を有しており、トルクリミッター１０１は、第２カッター２７のカッター軸２７ａに外嵌し、トルク出力スリーブ１０２は、トルクリミッター１０１に外嵌する。
【０１６５】
ソレノイド１００は、トルク出力スリーブ１０２の外周面の一部位に対向して設置されている。トルク出力スリーブ１０２の外周面の適所には、穴部１０２ａが形成されており、ソレノイド１０３のプランジャ１０３ａは、この穴部１０２ａに嵌合可能となっている。
【０１６６】
このようなトルク伝達構造において、ソレノイド１０３のプランジャ１０３ａをトルク出力スリーブ１０２の穴部１０２ａに嵌合させることにより、トルクリミッター１０１とトルク出力スリーブ１０２との間には、最大静止摩擦力を超える力が作用し、トルクリミッター１０１がトルク出力スリーブ１０２に対して相対回転する。これにより、回転レバー１６，６３，７１等の回転を停止することができる。
【０１６７】
また、ソレノイド１０３のプランジャ１０３ａが吸引されると、第２カッター２７のトルクがトルクリミッター１０１を介してトルク出力スリーブ１０２に伝達される。これにより、回転レバー１６，６３，７１等を回転させることができる。
【０１６８】
この構成にあっては、例えば投入センサ９，１０等の検知信号に基づいて、ソレノイド１０３の動作を前記制御部５５により制御することとなる。
【０１６９】
（５）前記各実施形態においては、細断部３が、一対のカッター２６，２７が互いに噛合した状態で上下に配置して構成されたものについて説明したが、これに限られず、次のような構成を有する細断部を備えたシュレッダー装置も本発明に含まれる。
【０１７０】
図２３，図２４は、本実施形態のシュレッダー装置の構成を示す図である。本実施形態のシュレッダー装置は、前記第１の実施形態等と比べて、投入部及び細断部の構成が主に異なるものであり、それ以外の構成については略同様であるから、相違点について説明することとする。なお、図２３の表裏をシュレッダー装置の前後、図２３の左右をシュレッダー装置の左右、図２３の上下をシュレッダー装置の上下というものとする。
【０１７１】
図２３に示すように、シュレッダー装置２００は、前記各実施形態と同様に、細断対象物を投入するための投入部２０１と、細断対象物を細断する細断部２０２と、細断部２０２による細断動作により生じた細断屑を収納する収納部２０３とを有する構成を備えており、特に、細断部２０２の構成が前記各実施形態と大きく異なっている。
【０１７２】
投入部２０１は、紙葉類を投入するための紙葉類投入部２０４と、ディスク体を投入するためのディスク体投入部２０５とが、シュレッダー装置本体２０１ａの上面において左右に並んで設けられている。投入部２０１には、シャッター２０６が備えられており、シャッター２０６に取り付けられたつまみ２０７でシャッター２０６を左右いずれかの位置に位置させることで、一方の投入口が開放し、他方の投入口が閉塞する。
【０１７３】
紙葉類投入部２０４においては、ディスク体の誤投入を防止するため、図２５に示すように、該ディスク体が変形しないことを利用して、該投入口２４を構成する面に複数の屈曲部２０５ａ〜２０５ｃを備え、ディスク体が該紙葉類投入部２０４に投入された場合には、この屈曲部２０５ａ〜２０５ｃでディスク体が引っ掛かり、このディスク体が細断部２０２に搬送されるのを防止するようにしている。なお、図示していないが、本実施形態においても、前記第１実施形態と同様の構成を有する投入センサが備えられている。
【０１７４】
紙葉類投入部２０４の先端部は、第１カッター２１７と第２カッター２１８との噛合部位の近傍まで延設されており、紙葉類投入部２０４に投入された紙葉類は、その噛合部位まで案内される。また、ディスク体投入部２０５の先端部は、第１カッター２１７と第３カッター２１９との噛合部位の近傍まで延設されており、投入されたディスク体は、その噛合部位まで案内される。
【０１７５】
図２４に示すように、本実施形態のシュレッダー装置２００における細断部２０２は、モータユニット２０８と、動力伝達機構２０９と、カッターユニット２１０と、図略のセパレータとを備えて構成されている。
【０１７６】
モータユニット２０８は、前記第１の実施形態と同様の構成を有するものであるため、詳細な説明は省略する。なお、モータユニット２０８の回転方向は、前記第１の実施形態の説明で述べた制御部５５により制御される。
【０１７７】
動力伝達機構２０９は、減速機２１１の出力をカッターユニット２１０に伝達するものであり、減速機２１１の出力軸とカッターユニット２１０（後述の第２カッター２１８）の一端部とにそれぞれ取り付けられたスプロケット２１２，２１３と、これらのスプロケット２１２，２１３に懸架されたチェーン２１４とを備えて構成されている。これにより、第２カッター２１８に動力伝達機構２０９を介して駆動力が伝達される。
【０１７８】
カッターユニット２１０は、フレーム２１５，２１６に回転可能に支持された長尺状の第１〜第３カッター２１７〜２１９が左右方向（水平方向）に並べて配置されており、隣接するもの同士が互いに噛合した構成とされている。第１〜第３カッター２１７〜２１９の構成は、前記第１の実施形態における第１、第２カッター２６，２７と略同様である。
【０１７９】
第１、第２カッター２１７，２１８のフレーム２１５側の端部には、それぞれギヤ２２０，２２１が互いに噛合した状態で取り付けられており、第２カッター２１８には、これらのギヤ２２０，２２１を介してトルクが伝達され、第２カッター２１８は、第１カッター２１７に同一速度で逆方向に回転する。また、第１、第３カッター２１７，２１９のフレーム２１６側の端部には、それぞれギヤ２２２，２２３が互いに噛合した状態で取り付けられており、第３カッター２７には、これらのギヤ２２２，２２３を介してトルクが伝達され、第３カッター２７は、これらのギヤ２２２，２２３を介して第１カッター２１７に同一速度で逆方向に回転する。
【０１８０】
ところで、本実施形態においては、第１〜第３カッター２１７〜２１９の隣接する細断刃間の間隔は、細断する細断対象物に応じて設定されている。すなわち、図２４に示すように、第１、第２カッター２１７，２１８の隣接する細断刃間の間隔は、大きく細断すると情報（紙葉類に記載されている内容）が読み取られる可能性がある紙葉類を細断するために非常に狭く設定されている一方、比較的大きく細断しても情報（記憶内容）が読み取られず、また、紙葉類に比して大きな細断トルクが必要となるディスク体を細断する第３カッター２１９については、隣接する細断刃間の間隔が第１、第２カッター２１７，２１８における前記間隔に比して大きく設定されている。
【０１８１】
さらに、この第３カッター２１９においては、軸方向の略中央位置を境として、隣接する細断刃間の間隔が異なっている。これは、第３カッター２１９の細断刃のうち、細断刃間の間隔が大きい方の細断刃（図２４の下側の細断刃）によって、例えばフロッピーディスク（ＦＤ）、コンパクトディスク（ＣＤ）等、変形しにくいディスク体を細断し、前記細断刃間の間隔が小さい方の細断刃（図２４の上側の細断刃）によって、例えばフィッシュフィルム等、変形のしやすさの点で紙葉類とディスク体との中間となる細断対象物を細断するようになっている。このように、細断対象物の変形のしやすさに応じて、細断刃の刃数（隣接する刃間の間隔）を設定するとよい。
【０１８２】
なお、この場合、ディスク体投入部２０５において、ディスク体を投入する部分とフィッシュフィルム等を投入する部分とを区別するための表示や仕切りを設けたり、ディスク体用の屑箱と前記フィルム類用の屑箱とを、シュレッダー装置の前後方向に並べて配置したりするとよい。
【０１８３】
紙葉類投入部２０４に紙葉類が投入されると、第１カッター２１７は反時計回りに、第２カッター２１８は時計周りにそれぞれ回転することにより、その紙葉類を噛み込んで細断する。また、ディスク体投入部２０５にディスク体が投入されると、第１カッター２１７は時計回りに、第３カッター２１９は反時計周りにそれぞれ回転することにより、そのディスク体を細断する。
【０１８４】
なお、図示していないが、紙葉類投入部２０４への紙葉類の投入及びディスク体投入部２０５へのディスク体の投入は、前記第１の実施形態におけるセンサと同様のセンサにより検出する。セパレータは、前記第１の実施形態と同様の構成を有するものであるため、詳細な説明は省略する。
【０１８５】
図２３に示すように、細断部２０２は、一対のプーリ２２４，２２５と、無端ベルト２２６と、平板状の混入防止板２２８とを有する。プーリ２２４，２２５は、フレーム２１５の外面側において設けられており、これらのプーリ２２４，２２５には、無端ベルト２２６が巻きつけられている。
【０１８６】
一方のプーリ２２４は、第１カッター２１７のカッター軸（図示せず）に一体的に取り付けられており、第１カッター２１７の回転方向に応じた方向に無端ベルト２２６が走行する。すなわち、第１カッター２１７が時計回りに回転すると、無端ベルト２２６は、矢印の方向に走行し、第１カッター２１７が反時計回りに回転すると、無端ベルト２２６は、矢印の方向と反対方向に走行する。
【０１８７】
また、他方のプーリ２２５は、フレーム２１５，２１６間に回転自在に架け渡された回転軸２２７に一体的に取り付けられているとともに、混入防止板２２８の左右方向における略中心位置と回転軸２２７とが固着されており、プーリ２２５の回転方向と同じ方向に回転軸２２７、延いては混入防止板２２８が回転する。
【０１８８】
このような構成により、紙葉類が紙葉類投入部２０４に投入されると、第１カッター２１７は反時計回りに回転するため、無端ベルト２２６は、矢印の方向と反対方向に走行し、プーリ２２５及び回転軸２２７は反時計回りに回転し、その結果、混入防止板２２８は、右斜め上方に傾斜する姿勢となる。これにより、細断部２０２から落下してくる紙葉類の細断屑を紙葉類用の屑箱２２９に案内するとともに、飛散した紙葉類の細断屑がディスク体用の屑箱２３０に混入するのを防止することができる。
【０１８９】
また、ディスク体がディスク体投入部２０５に投入されると、第１カッター２１７が時計回りに回転するため、無端ベルト２２６は、矢印の方向に走行して、プーリ２２５及び回転軸２２７は反時計回りに回転し、その結果、混入防止板２２８は、右斜め下方に傾斜する姿勢となる。これにより、細断動作により落下してくるディスク体の細断屑をディスク体用の屑箱２３０に案内するとともに、飛散したディスク体の細断屑が紙葉類用の屑箱２２９に混入するのを防止することができる。
【０１９０】
なお、本実施形態においても、図２１に示すようなトルク伝達機構や図２２に示すトルク伝達構造を採用することができる。
【０１９１】
図２１に示すトルク伝達機構を採用する場合、第１カッター２１７及び第２カッター２１８の関係が図２１等に示す第１カッター２６，２７の関係となるように構成するとともに、第１カッター２１７及び第３カッター２１９の関係が同じく図２１等に示す第１カッター２６，２７の関係となるように構成すればよい。また、図２２に示すトルク伝達構造を採用する場合、第１カッター２１７の先端部に、図２２に示すようにトルクリミッター１０１、トルク出力スリーブ１０２及びソレノイド１０３を備えればよい。これにより、オートリバース機能を実現することができる。
【０１９２】
混入防止板２２８を前述のように動作させる構成は、図２３に示す構成に限られず、例えば、図２６，図２７に示すような構成であってもよい。なお、図２３，２４と同一の部材については同一の符号を付している。
【０１９３】
図２６に示す構成においては、前述のプーリ２２４，２２５及び無端ベルト２２６に代えて、第１カッター２１７のカッター軸に一体的に取り付けられた回転レバー２３１が備えられている。
【０１９４】
回転レバー２３１は、第１カッター軸２１７のカッター軸（図示せず）上に配置されており、上方に延びる第１レバー部２３１ａと下方に延びる第２レバー部２３１ｂとを備えてなる部材である。第１レバー部２３１ａの先端部には、紙葉類投入部２０４及びディスク体投入部２０５を択一的に開放するシャッター２０６のつまみ２０７が、所定の回動支点Ｏで回動自在に取り付けられている。
【０１９５】
第２レバー部２３１ｂの先端部は、紙面表裏方向に延びるピン２３２を挟むように２股形状とされており、ピン２３２は、この２股形状に形成されるスペースＳ内を移動可能となっている。
【０１９６】
また、図２３に示す実施形態と同様、前後のフレーム２１５，２１６に回転自在に架け渡された回転軸２２７を有し、この回転軸２２７と平板状の混入防止板２２８の左右方向における略中心位置とが固着されている。そして、この回転軸２２７とピン２３２とは、これらに交差する連結バー２３３により連結されている。
【０１９７】
このような構成により、図２６に示す状態からつまみ２０７が右側に引き寄せられると（ディスク体投入部２０５が閉塞されると）、図２７（ａ）に示すように、回転レバー２３１は、右斜め上に傾斜した姿勢となる。また、これに伴い、ピン２３２は、回転軸２２７を回転中心として反時計回りに回転し、連結バー２３３を介して回転軸２２７が反時計周りに回転する結果、混入防止板２２８は、右斜め上方に傾斜する姿勢となる。
【０１９８】
そして、つまみ２０７が右側に移動されることで開放された紙葉類投入部２０４に紙葉類が投入されると、第１カッター２１７が反時計回りに、第２カッター２１８が時計回りに回転する。これにより、紙葉類が第１、第２カッター２１７，２１８により噛み込まれ細断される。また、混入防止板２１８により、細断部２０２から落下してくる紙葉類の細断屑が紙葉類用の屑箱２２９に案内されるとともに、飛散した紙葉類の細断屑がディスク体用の屑箱２３０に混入するのが防止される。
【０１９９】
また、図２６に示す状態からつまみ２０７が左側に移動されると（紙葉類投入部２０４が閉塞されると）、図２７（ｂ）に示すように、回転レバー２３１は、左斜め上に傾斜した姿勢となる。また、これに伴い、ピン２３２は、回転軸２２７を回転中心として時計回りに回転し、連結バー２３３を介して回転軸２２７が時計周りに回転する結果、混入防止板２２８は、左斜め上方に傾斜する姿勢となる。
【０２００】
そして、つまみ２０７が左側に移動されることで開放されたディスク体投入部２０５にディスク体が投入されると、第１カッター２１７が時計回りに、第３カッター２１９が反時計回りに回転する。これにより、ディスク体が第１、第３カッター２１７，２１９により噛み込まれ細断される。また、混入防止板２１８により、細断動作により落下してくるディスク体の細断屑がディスク体用の屑箱２３０に案内されるとともに、飛散したディスク体の細断屑が紙葉類用の屑箱２３０に混入するのが防止される。
【０２０１】
なお、この場合、投入口への細断対象物の投入を検知するセンサを備え、このセンサからの検知信号に基づき、第１〜第３カッター２１７〜２１９の回転制御を行うようにしてもよいし、あるいは、シャッター２０６やつまみ２０７の存在を所定の位置で検知するセンサを備え、検知されるシャッター２０６やつまみ２０７の位置に応じて、第１〜第３カッター２１７〜２１９の回転制御を行うようにしてもよい。
【０２０２】
（６）ディスク体の誤投入を防止するため、紙葉類投入口を構成する面を次のように構成してもよい。図２８は、紙葉類投入部の外観図である。
【０２０３】
図２８に示すように、紙葉類投入部２４０の開口部は、複数の屈曲部を有して構成されている。すなわち、紙葉類投入部２４０を構成する部材の縁部２４１，２４２は、平行に山部と谷部とが交互に形成されたジグザグ形状とされている。また、隣接する一方の縁部２４１における山部（突出点Ａ）と他方の縁部２４２における山部（突出点Ｂ）とのＸ方向の距離（例えば図中点Ａと点ＢとのＸ方向の間隔）が、ディスク体の厚みより小さく設定されている。これにより、紙葉類投入部２４０内へのディスク体の投入を防止することができる。
【０２０４】
（７）前記各実施形態において、紙葉類投入口への紙葉類の投入と、ディスク体投入部へのディスク体の投入とが同時に行われた場合には、例えば、投入センサにより先に検知された方の細断対象物を細断するように細断部の制御を行うようにしたり、あるいは、投入検知の有無に関わらず、細断部による細断動作を禁止したりするようにするとよい。
【０２０５】
（８）細断部に備えられるカッターの細断刃の形状は図５に示すものに限らず、例えば、図２９に示すように、刃先角度を鋭角に形成（矢印Ｘの部分）してもよい。
【０２０６】
（９）上記実施形態では、投入センサや満杯検知センサは前述のように光を検知媒体とするものに限られるものではなく、赤外線や超音波等を検知媒体とするセンサ等、種々のものが採用可能である。
【０２０７】
（１０）搬送装置５は、搬送装置５内で紙詰まりを起こした紙葉類を除去できるように、搬送装置５内部が露出可能に構成とするとよい。
【０２０８】
（１１）前記第１の実施形態においては、紙葉類用の屑箱４ａ及びディスク体の屑箱４ｂのいずれか一方でも細断屑が満杯になると、細断対象物の種類に拘わらず細断部３による細断動作を禁止するようにしたが、これに限らず、満杯になった方の屑箱に対応する細断対象物の細断動作のみを禁止するようにしてもよい。
【０２０９】
（１２）混入防止板は、例えばポリカーボネートやゴム等、柔軟性を有し、帯電しにくい素材で構成するとよい。
【０２１０】
（１３）混入防止板の姿勢を変更させる回転レバーを備えた前記各実施形態においては、一方のフレーム側にのみ１つの回転レバーを備えるようにしたが、他方のフレーム（動力伝達機構を備える側のフレーム）にも同じような構成を有する回転レバーを備えて混入防止板を姿勢の変更を該混入防止板の前後方向における両端部で行わせるように構成すると、混入防止板に作用する力のバランス（力学的なバランス）をとることができるため、混入防止板の姿勢の変更をよりスムーズに行うことができる。
【０２１１】
（１４）本発明は、細断対象物として前述の紙葉類とディスク体とに限られるものではなく、材質の異なる２以上の細断対象物の細断構造と、細断対象物ごとの細断屑の分別構造とを提案するものである。したがって、例えば、紙と樹脂製フィルムとを細断する場合や、単一の材質で構成された細断対象物と、２以上の材質で構成された細断対象物とを細断する場合等に本発明は採用可能である。
【０２１２】
（１５）前記実施形態においては、細断対象物の投入を検知して自動的にカッター２６，２７を回転や停止等させるものであるが、これに限らず、前述のような投入センサを設けずに、例えば装置本体１ａの上面適所に設置された操作パネルに、細断、細断停止、逆回転の指示を行うためのスイッチやボタン等の操作部を備え、手動でシュレッダー装置１を動作（カッター２６，２７の回転動作、停止動作、逆回転動作）させるようにしてもよい。あるいは、前記投入センサと操作部との両方を備え、次のように、シュレッダー装置１を動作させるようにしてもよい。
【０２１３】
すなわち、例えば、細断対象物の投入を検知して自動的にカッター２６，２７を回転や停止等させる自動モードと、該自動モードを解除し、操作者の指示にしたがってカッター２６，２７を回転や停止等を行う手動モードとを選択するボタン等を操作部に備え、自動モードでは、投入センサの検知信号にしたがってカッター２６，２７の回転動作等を行う一方、手動モードでは、カッター２６，２７を回転や停止等を指示するためのボタン等の操作（操作者の操作）の指示にしたがってカッター２６，２７を回転や停止等を行う構成が想定できる。
【０２１４】
また、前述のような２つのモードを備えずに、通常は、投入センサの検知信号に基づいて自動的にカッター２６，２７を回転や停止等させるとともに、カッター２６，２７の回転動作の停止を指示する操作ボタンと、細断能力を超える紙葉類が投入口に投入されたことにより細断中にカッター２６，２７の回転動作が停止した場合に、そのカッター２６，２７を逆回転させる指示を行う操作ボタンとを備え、これらの操作ボタンの操作があったときには、投入センサ等の検知信号に拘わらず、その操作内容（割り込み指示）にしたがって、カッター２６，２７の回転動作の停止やカッター２６，２７の逆回転動作を行うようにする構成も想定することができる。
【０２１５】
（１６）前記各実施形態における細断部は、細断対象物を異なる２つの方向に細断する構成のものに限らず、細断対象物を１つの方向に細断する構成でもよい。
【図面の簡単な説明】
【０２１６】
【図１】本発明に係るシュレッダー装置の第１の実施形態の構成を示す一側面図である。
【図２】本発明に係るシュレッダー装置の第１の実施形態の構成を示す平面図である。
【図３】シュレッダー装置２の詳細な内部構成を示す図である。
【図４】シュレッダー装置の上方から見た該シュレッダー装置の詳細な内部構成を示す図である。
【図５】細断刃の構成を示す図である。
【図６】図４の矢印Ｃの方向から見た図である。
【図７】細断屑混入防止機構等の動作を示す図である。
【図８】トルクレス機構の構成を示す図である。
【図９】シュレッダー装置の電気的な構成を示すブロック図である。
【図１０】制御部の細断処理を示すフローチャートである。
【図１１】制御部の満杯検出処理を示すフローチャートである。
【図１２】細断屑混入防止機構の他の変形形態を示す図である。
【図１３】変形形態（２）における回転レバーの回転に伴う混入防止板の動作の説明図である。
【図１４】同じく変形形態（２）における回転レバーの回転に伴う混入防止板の動作の説明図である。
【図１５】細断屑混入防止機構の変形形態を示す図である。
【図１６】同じく細断屑混入防止機構の変形形態を示す図である。
【図１７】細断屑混入防止機構及び案内板駆動構造の他の変形形態を示す図である。
【図１８】細断屑混入防止機構及びリンク機構の動作を示す図である。
【図１９】細断屑混入防止機構の別の変形形態を示す図である。
【図２０】細断屑混入防止機構及びリンク機構の動作を示す図である。
【図２１】トルク伝達構造の変形形態を示す図である。
【図２２】トルク伝達構造の変形形態を示す図である。
【図２３】変形形態（５）のシュレッダー装置の構成を示す一側面図である。
【図２４】変形形態（５）のシュレッダー装置の構成を示す平面図である。
【図２５】紙葉類投入口の構成を示す図である。
【図２６】カッターを３本有するシュレッダー装置の変形形態を示す図である。
【図２７】図２６に示すシュレッダー装置の動作を示す図である。
【図２８】紙葉類投入口の他の構成を示す外観図である。
【図２９】細断刃の他の構成を示す図である。
【符号の説明】
【０２１７】
２ａ，２０４，２４０  紙葉類投入口
２ｂ，２０５  ディスク体投入部
４ａ，４ｂ，２２９，２３０  屑箱
２６，２７，２１７〜２１９  カッター
９，１０  投入センサ
１１，１２  案内板
１６，６３，７３  回転レバー
１４ａ〜１４ｅ  ガイド用長穴
３５，６０，６２，７１，７９  細断屑混入防止機構
３６，６１，６４，７３，８３，８４，２２８    混入防止板
４２  トルクレス機構
【図１】
2006116507.tif 000003
【図２】
2006116507.tif 000004
【図３】
2006116507.tif 000005
【図４】
2006116507.tif 000006
【図５】
2006116507.tif 000007
【図６】
2006116507.tif 000008
【図７】
2006116507.tif 000009
【図８】
2006116507.tif 000010
【図９】
2006116507.tif 000011
【図１０】
2006116507.tif 000012
【図１１】
2006116507.tif 000013
【図１２】
2006116507.tif 000014
【図１３】
2006116507.tif 000015
【図１４】
2006116507.tif 000016
【図１５】
2006116507.tif 000017
【図１６】
2006116507.tif 000018
【図１７】
2006116507.tif 000019
【図１８】
2006116507.tif 000020
【図１９】
2006116507.tif 000021
【図２０】
2006116507.tif 000022
【図２１】
2006116507.tif 000023
【図２２】
2006116507.tif 000024
【図２３】
2006116507.tif 000025
【図２４】
2006116507.tif 000026
【図２５】
2006116507.tif 000027
【図２６】
2006116507.tif 000028
【図２７】
2006116507.tif 000029
【図２８】
2006116507.tif 000030
【図２９】
2006116507.tif 000031